(57)【要約】【課題】  広い色再現範囲とする白色光で液晶表示パネルを照明する薄型のバックライト装置を実現する。【解決手段】  光源として、入射した色光を拡散して、面状発光させる拡散板１４１に入射する少なくとも赤色光、緑色光、青色光をそれぞれ発光する複数の発光ダイオード２１Ｒ、２１Ｇ、２１Ｂと、複数の発光ダイオード２１Ｒ、２１Ｇ、２１Ｂから発光された赤色光、緑色光、青色光を拡散板１４１上の同一箇所に集光して白色光とする集光手段２３Ｒ、２３Ｇ、２３Ｂとを有する複数の光源ユニット２１ｍｎ（ｍ、ｎは自然数）を備えることで実現する。【選択図】  図４
2006228576.tif 000002
【特許請求の範囲】
【請求項１】
透過型の液晶表示パネルを背面側から白色光で照明するバックライト装置を含む照明装置において、入射した色光を拡散して、面状発光させる拡散板と、
上記拡散板に入射する少なくとも赤色光、緑色光、青色光をそれぞれ発光する複数の発光ダイオードと、上記複数の発光ダイオードから発光された上記赤色光、上記緑色光、上記青色光を上記拡散板上の同一箇所に集光して白色光とする集光手段とを有する複数の光源ユニットとを備えること
を特徴とするバックライト装置。
【請求項２】
上記集光手段は、上記複数の発光ダイオードから発光された上記赤色光、上記緑色光、上記青色光を上記拡散板上の一点に集光すること
を特徴とする請求項１記載のバックライト装置。
【請求項３】
上記光源ユニットは、上記集光手段として、上記複数の発光ダイオードから発光された上記赤色光、上記緑色光、上記青色光を、それぞれ集光する複数の集光レンズを有し、
上記複数の集光レンズを介した上記赤色光、上記緑色光、上記青色光が、上記拡散板上の上記同一箇所に集光されるように、上記複数の発光ダイオード及び上記複数のレンズの光軸を所定の角度で傾けて配置すること
を特徴とする請求項１記載のバックライト装置。
【請求項４】
上記光源ユニットは、上記集光手段として、上記複数の発光ダイオードから発光された上記赤色光、上記緑色光、上記青色光を上記拡散板の上記同一箇所に集光するレンチキュラーレンズを有すること
を特徴とする請求項１記載のバックライト装置。
【請求項５】
上記光源ユニットは、上記集光手段として、上記複数の発光ダイオードから発光された上記赤色光、上記緑色光、上記青色光を、それぞれ集光する複数の集光レンズと、
上記集光レンズで集光された上記赤色光、上記緑色光、上記青色光を、波長に応じて反射又は透過させることで、上記拡散板上の上記同一箇所に照射させるダイクロイックプリズムとを有すること
を特徴とする請求項１記載のバックライト装置。
【請求項６】
透過型の液晶表示パネルと、上記液晶表示パネルを背面側から白色光で照明するバックライト装置とを備える液晶表示装置において、
上記バックライト装置は、入射した色光を拡散して、面状発光させる拡散板と、
上記拡散板に入射する少なくとも赤色光、緑色光、青色光をそれぞれ発光する複数の発光ダイオードと、上記複数の発光ダイオードから発光された上記赤色光、上記緑色光、上記青色光を上記拡散板上の同一箇所に集光して白色光とする集光手段とを有する複数の光源ユニットとを備えること
を特徴とする液晶表示装置。
【請求項７】
上記集光手段は、上記複数の発光ダイオードから発光された上記赤色光、上記緑色光、上記青色光を上記拡散板上の一点に集光すること
を特徴とする請求項６記載の液晶表示装置。
【請求項８】
上記光源ユニットは、上記集光手段として、上記複数の発光ダイオードから発光された上記赤色光、上記緑色光、上記青色光を、それぞれ集光する複数の集光レンズを有し、
上記複数の集光レンズを介した上記赤色光、上記緑色光、上記青色光が、上記拡散板上の上記同一箇所に集光されるように、上記複数の発光ダイオード及び上記複数のレンズの光軸を所定の角度で傾けて配置すること
を特徴とする請求項６記載の液晶表示装置。
【請求項９】
上記光源ユニットは、上記集光手段として、上記複数の発光ダイオードから発光された上記赤色光、上記緑色光、上記青色光を上記拡散板の上記同一箇所に集光するレンチキュラーレンズを有すること
を特徴とする請求項６記載の液晶表示装置。
【請求項１０】
上記光源ユニットは、上記集光手段として、上記複数の発光ダイオードから発光された上記赤色光、上記緑色光、上記青色光を、それぞれ集光する複数の集光レンズと、
上記集光レンズで集光された上記赤色光、上記緑色光、上記青色光を、波長に応じて反射又は透過させることで、上記拡散板上の上記同一箇所に照射させるダイクロイックプリズムとを有すること
を特徴とする請求項６記載の液晶表示装置。
【発明の詳細な説明】
【技術分野】
【０００１】
本発明は、バックライト装置を備える液晶表示装置（ＬＣＤ：Liquid Crystal Display）に関し、詳しくは、色ムラを低減させつつ薄型化したバックライト装置及びこのバックライト装置を備える液晶表示装置に関する。
【背景技術】
【０００２】
テレビジョン放送が開始されてから長年使用されてきたＣＲＴ（Cathode Ray Tube）に代わり、液晶表示装置（ＬＣＤ：Liquid Crystal Display）や、プラズマディスプレイ（PDP：Plasma Display Panel）といった非常に薄型化されたテレビジョン受像機が考案、実用化されている。特に、液晶表示パネルを用いた液晶表示装置は、低消費電力での駆動が可能であることや、大型の液晶表示パネルの低価格化などに伴い、加速的に普及することが考えられ、今後の更なる発展が期待できる表示装置である。
【０００３】
液晶表示装置は、カラーフィルタを備えた透過型の液晶表示パネルを背面側からバックライト装置にて照明することでカラー画像を表示させるバックライト方式が主流となっている。バックライト装置の光源としては、蛍光管を使った白色光を発光するＣＣＦＬ（Cold Cathode Fluorescent Lamp）といった蛍光ランプが多く用いられている。
【０００４】
また、ＣＣＦＬは、蛍光管内に水銀を封入するため、環境への悪影響が考えられるため、ＣＣＦＬに代わるバックライト装置の光源として発光ダイオード（ＬＥＤ：Light Emitting Diode）が有望視されている（例えば、特許文献１参照）。
【０００５】
青色発光ダイオードの開発により、光の三原色である赤色光、緑色光、青色光をそれぞれ発光する発光ダイオードが揃ったことになり、これらの発光ダイオードから出射される赤色光、緑色光、青色光を混色することで、色純度の高い白色光を得ることができる。したがって、この発光ダイオードをバックライト装置の光源とすることで、液晶表示パネルを介した色光の色純度が高くなるため、色再現範囲をＣＣＦＬと比較して大幅に広げることができる。
【０００６】
バックライト装置の光源として用いる発光ダイオードとしては、高出力の発光ダイオード（ＬＥＤ）チップを使用した発光ダイオードが有効であり、この発光ダイオードを用いることで、バックライト装置の輝度を大幅に向上させることができる。
【０００７】
【特許文献１】特開平７−１９１３１１号公報
【発明の開示】
【発明が解決しようとする課題】
【０００８】
液晶表示パネルを照明する照明光を出射するバックライト装置は、光源の配置位置によって、直下型と、エッジライト型との２つに大別される。直下型は、液晶表示パネルの背面側直下に光源を配置させるタイプのバックライト装置であり、サイドエッジ型は、液晶表示パネルの背面側直下に光を導光する導光板を配し、導光板の側面部に光源を配置させるタイプのバックライト装置である。
【０００９】
直下型のバックライト装置は、エッジライト型のバックライト装置と較べて、導光板を必要としないことから部品点数が少なくなり、製造コストを下げることができる。特に、光源としてＣＣＦＬを用いた場合、ＣＣＦＬは、それ自体が白色光を出射するので、バックライト装置に混色のための厚みを必要としないため、非常に薄型の液晶表示装置を構成することができる。
【００１０】
しかしながら、バックライト装置の光源として光の三原色である赤色光、緑色光、青色光を発光する発光ダイオードを用いた場合、この三原色光を白色光へと混色するためには、発光ダイオードから液晶表示パネルの前段に配置される拡散板までの距離を十分確保する必要がある。
【００１１】
具体的には、三原色光を発光する発光ダイオードは、それぞれがパッケージング化されているため、混色性を高めるために一箇所に集めて配置させたとしても、発光された三原色光が拡散板上で完全に混色することはなく、拡散板との距離が近ければ近いほどそれが顕著となってしまう。三原色光の混色が十分でない、色ムラのある白色光を照明光として液晶表示パネルを照明すると、液晶表示パネルに表示される画像も適切に色表現がなされない画像となってしまう。
【００１２】
したがって、色再現範囲を広げるために、光源として三原色光を発光する発光ダイオードを用い、直下型のバックライト装置を構成すると、バックライト装置を厚くする必要があり、液晶表示装置の薄型化を阻害してしまうことになる。
【００１３】
そこで、本発明は、上述したような問題を解決するために案出されたものであり、三原色光を発光する発光ダイオードを用いることで色再現範囲を広げると共に、液晶表示パネルを照明する白色光の色ムラを低減させ且つ薄型化を実現したバックライト装置及びこのバックライト装置を用いた液晶表示装置を提供することを目的とする。
【課題を解決するための手段】
【００１４】
上述の目的を達成するために、本発明に係るバックライト装置は、透過型の液晶表示パネルを背面側から白色光で照明するバックライト装置において、入射した色光を拡散して、面状発光させる拡散板と、上記拡散板に入射する少なくとも赤色光、緑色光、青色光をそれぞれ発光する複数の発光ダイオードと、上記複数の発光ダイオードから発光された上記赤色光、上記緑色光、上記青色光を上記拡散板上の同一箇所に集光して白色光とする集光手段とを有する複数の光源ユニットとを備えることを特徴とする。
【００１５】
上述の目的を達成するために、本発明に係る液晶表示装置は、透過型の液晶表示パネルと、上記液晶表示パネルを背面側から白色光で照明するバックライト装置とを備える液晶表示装置において、上記バックライト装置は、入射した色光を拡散して、面状発光させる拡散板と、上記拡散板に入射する少なくとも赤色光、緑色光、青色光をそれぞれ発光する複数の発光ダイオードと、上記複数の発光ダイオードから発光された上記赤色光、上記緑色光、上記青色光を上記拡散板上の同一箇所に集光して白色光とする集光手段とを有する複数の光源ユニットとを備えることを特徴とする。
【発明の効果】
【００１６】
本発明は、透過型の液晶表示パネルを背面側から白色光で照明するバックライト装置の光源として、入射した色光を拡散して、面状発光させる拡散板に入射する少なくとも赤色光、緑色光、青色光をそれぞれ発光する複数の発光ダイオードと、この複数の発光ダイオードから発光された赤色光、緑色光、青色光を拡散板上の同一箇所に集光して白色光とする集光手段とを有する複数の光源ユニットを用いる。
【００１７】
このようなバックライト装置から出射される照明光は、色ムラがなく十分に混色された白色光となり、この白色光で液晶表示パネルを照明することで、液晶表示パネルに、色再現性のよい画像を表示させることを可能とする。また、バックライト装置は、白色光へ混色する際に必要なスペースが不要であるため、従来の直下型のバックライト装置よりも非常に薄型化できる。したがって、薄型で、色再現性の高い液晶表示装置を実現することを可能とする。
【発明を実施するための最良の形態】
【００１８】
以下、本発明を実施するための最良の形態について、図面を参照して詳細に説明をする。なお、本発明は、以下の例に限定されるものではなく、本発明の要旨を逸脱しない範囲で、任意に変更可能であることはいうまでもない。
【００１９】
本発明は、例えば図１に示すような構成の透過型のカラー液晶表示装置１００に適用される。
【００２０】
この透過型のカラー液晶表示装置１００は、透過型のカラー液晶表示パネル１１０と、このカラー液晶表示パネル１１０の背面側に設けられたバックライト装置１４０とからなる。また、図示しないが、この透過型のカラー液晶表示装置１００は、地上波や衛星波を受信するアナログチューナー、デジタルチューナーといった受信部、この受信部で受信した映像信号、音声信号をそれぞれ処理する映像信号処理部、音声信号処理部、音声信号処理部で処理された音声信号を出力するスピーカといった音声信号出力部などを備えていてもよい。
【００２１】
透過型のカラー液晶表示パネル１１０は、ガラス等で構成された２枚の透明な基板（ＴＦＴ基板１１１、対向電極基板１１２）を互いに対向配列させ、その間隙に、例えば、ツイステッドネマチック（ＴＮ）液晶を封入した液晶層１１３を設け、さらに、ＴＦＴ基板１１１、対向電極基板１１２を、２枚の偏光板１３１、１３２によって挟むことで構成されている。ＴＦＴ基板１１１には、マトリックス状に配列された信号線１１４と、走査線１１５と、この信号線１１４、走査線１１５の交点に配列されたスイッチング素子としての薄膜トランジスタ１１６と、画素電極１１７とが形成されている。薄膜トランジスタ１１６は、走査線１１５により、順次選択されると共に、信号線１１４から供給される映像信号を、対応する画素電極１１７に書き込む。一方、対向電極基板１１２の内表面には、対向電極１１８及びカラーフィルタ１１９が形成されている。
【００２２】
カラーフィルタ１１９は、各画素に対応した複数のセグメントに分割されている。例えば、図２に示すように、３原色である赤色フィルタＣＦＲ、緑色フィルタＣＦＧ、青色フィルタＣＦＢの３つのセグメントに分割されている。カラーフィルタ１１９の配列パターンは、図２に示すようなストライプ配列の他に、図示しないが、デルタ配列、正方配列などがある。
【００２３】
再び、図１を用いて、透過型のカラー液晶表示装置１００の構成について説明をする。透過型のカラー液晶表示装置１００は、このような構成の透過型のカラー液晶表示パネル１１０を、バックライト装置１４０により背面側から白色光を照射した状態で、アクティブマトリックス方式で駆動することによって、所望のフルカラー映像を表示させることができる。
【００２４】
バックライト装置１４０は、上記カラー液晶表示パネル１１０を背面側から照明する。図１に示すように、バックライト装置１４０は、ここでは図示していない光源や、光源から出射された光を白色光へと混色する機能などが組み込まれたバックライト筐体部１２０内に、拡散板１４１や、拡散板１４１上に重ねて配列される拡散シート１４２、プリズムシート１４３、偏光変換シート１４４といった光学シート群１４５などを備えた構成となっている。拡散板１４１は、光源から出射された光を、内部拡散させることで、面発光における輝度の均一化を行う。
【００２５】
一般に、光学機能シート群は、例えば、入射光を直交する偏光成分に分解する機能、光波の位相差を補償して広角視野角化や着色防止を図る機能、入射光を拡散させる機能、輝度向上を図る機能などを備えたシートで構成されており、バックライト装置１４０から面発光された光をカラー液晶表示パネル１１０の照明に最適な光学特性を有する照明光に変換するために設けられている。したがって、光学機能シート群１４５の構成は、上述した拡散シート１４２、プリズムシート１４３、偏光変換シート１４４に限定されるものではなく、様々な光学機能シートを用いることができる。
【００２６】
図３にバックライト筐体部１２０内の概略構成図を示す。この図３に示すように、バックライト筐体部１２０は、少なくとも赤色光を発光する赤色発光ダイオード２１Ｒ、緑色光を発光する緑色発光ダイオード２１Ｇ、青色光を発光する青色発光ダイオード２１Ｂを備える複数の光源ユニット２１ｍｎ（ｍ、ｎは、それぞれ自然数）を光源としている。なお、以下の説明において、赤色発光ダイオード２１Ｒ、緑色発光ダイオード２１Ｇ、青色発光ダイオード２１Ｂを総称して、発光ダイオード２１と呼ぶ。
【００２７】
光源ユニット２１ｍｎは、例えば、図３に示すようにバックライト筐体部１２０内に２次元マトリックス状に配列されることになる。光源ユニット２１ｍｎは、発光ダイオード２１から発光された三原色光が、拡散板１４１上の一点に集光するように、各発光ダイオード２１の配置位置や配置角度などが決められ、必要に応じて光学手段などを備えた構成となっている。なお、光源ユニット２１ｍｎについては、後で詳細に説明をする。
【００２８】
光源ユニット２１ｍｎは、バックライト装置１４０が照明するカラー液晶表示パネル１１０のパネルサイズに応じた数だけ、バックライト筐体部１２０内に、２次元マトリックス状に配列されることになる。
【００２９】
バックライト筐体部１２０の内壁面１２０ａは、発光ダイオード２１から発光された光の利用効率を高めるために反射加工がなされた反射面となっている。
【００３０】
このようなバックライト装置１４０は、発光ダイオード２１から出射された色光を、それぞれが拡散板１４１の所定の一点に集光することで白色光に混色させ、拡散板１４１、光学機能シート群１４５を介してバックライト装置１４０から面状発光させ、カラー液晶表示パネル１１０を背面側から照明する。
【００３１】
図４に、透過型のカラー液晶表示装置１００を組み上げた際に、図１に示す透過型のカラー液晶表示装置１００に付したＹＹ線で切断した際の断面図を一部示す。図４に示すように、液晶表示装置１００を構成するカラー液晶表示パネル１１０は、透過型のカラー液晶表示装置１００の外部筐体となる外部フレーム１０１と、内部フレーム１０２とによって、スペーサ１０３ａ，１０３ｂを介して挟み込むように保持される。また、外部フレーム１０１と、内部フレーム１０２との間には、ガイド部材１０４が設けられており、外部フレーム１０１と、内部フレーム１０２によって挟まれたカラー液晶表示パネル１１０が長手方向へずれてしまうことを抑制している。
【００３２】
一方、透過型のカラー液晶表示装置１００を構成するバックライト装置１４０は、上述したように光学シート群１４５が積層された拡散板１４１を備えている。
【００３３】
光源ユニット２１ｍｎは、ＬＥＤホルダー２２に、赤色発光ダイオード２１Ｒ、緑色発光ダイオード２１Ｇ、青色発光ダイオード２１Ｂを、例えば、接着剤や、ネジ止めなどによって固定保持することでなる。このＬＥＤホルダー２２は、取り付け基板２５に固着され、バックライト筐体部１２０内に配置される。
【００３４】
ＬＥＤホルダー２２は、緑色発光ダイオード２１Ｇの光軸と、拡散板１４１の光入射面１４１ａとが垂直になるように保持すると共に、緑色発光ダイオード２１Ｇの光軸と、赤色発光ダイオード２１Ｒ、青色発光ダイオード２１Ｂの光軸が、この光入射面１４１ａ上で一致するように、赤色発光ダイオード２１Ｒ、青色発光ダイオード２１Ｂを傾けて保持する。
【００３５】
なお、ＬＥＤホルダー２２は、緑色発光ダイオード２１Ｇを、光軸が光入射面１４１ａの法線方向と平行となるように保持しているが、本発明は、これに限定されるものではなく、１つの光学ユニット２１ｍｎが有する全ての発光ダイオード２１の光軸が、拡散板１４１の光入射面１４１ａ上の一点で交わればよいため、緑色発光ダイオード２１Ｇも、赤色発光ダイオード２１Ｒ、青色発光ダイオード２１Ｂのように、光軸に所定の角度を持たせて配置させることもできる。
【００３６】
ＬＥＤホルダー２２は、赤色発光ダイオード２１Ｒ、緑色発光ダイオード２１Ｇ、青色発光ダイオード２１Ｂの出射方向に、各発光ダイオード２１と光軸を一致させるようにした集光レンズ２３Ｒ、２３Ｇ、２３Ｂを設けており、図５に示すように、各色光を拡散板１４１の光入射面１４１ａ上の一点に集光させる。各色光が集光された拡散板１４１の光入射面１４１ａ上の一点は、完全な白色光とされ、図５に示すように、白色光を発光する擬似的な発光点Ｗとなる。
【００３７】
このように、バックライト装置１４０では、白色光を発光する擬似的な発光点Ｗを、拡散板１４１の光入射面１４１ａ上に形成させるため、バックライト装置１４０で使用する拡散板１４１として、入射された光を拡散させる拡散角が大きいものを使用することが好ましい。
【００３８】
上述した説明では、光源ユニット２１ｍｎは、各発光ダイオード２１から発光された色光を拡散板１４１の光入射面１４１ａ上の一点に集光させるようにしているが、図６に示すように、一点ではなく所定の大きさの面積を有する照射領域ＷＦに照射させるようにしてもよい。各発光ダイオード２１から発光される各色光の照射位置、照射光の面積を、照射領域ＷＦに合わせることで、光入射面１４１ａ上の同一箇所に三原色光が集光されるため、完全な白色光とすることができる。つまり、照射領域ＷＦは、白色光を発光する擬似的な発光領域となる。
【００３９】
赤色発光ダイオード２１Ｒ、青色発光ダイオード２１Ｂを傾ける角度、集光レンズ２３Ｒ、２３Ｇ、２３Ｂの焦点距離、光源ユニット２１ｍｎと拡散板１４１との距離は、それぞれが、相互依存しているパラメータであり、バックライト装置１４０を薄型化し、カラー液晶表示装置１００の薄型化を図ることを優先し最適化をする。具体的には、どの程度まで薄型化させるかに応じて、集光レンズ２３Ｒ、２３Ｇ、２３Ｂのレンズ設計を行って焦点距離を決定し、赤色発光ダイオード２１Ｒ、青色発光ダイオード２１Ｂを保持するＬＥＤホルダー２２の角度を決定する。
【００４０】
なお、図４では、ＬＥＤホルダー２２において、発光ダイオード２１Ｇを中心に配し、その両隣に赤色発光ダイオード２１Ｒ、青色発光ダイオード２１Ｂを配置するようにしているが、本発明は、このようなＬＥＤホルダー２２における配置の仕方に限定されるものではなく、拡散板１４１の光入射面１４１ａ上の一点で各色光が集光されればよく、順番を入れ替えてもよい。
【００４１】
また、図４に示すように、隣り合う光源ユニット２１ｍｎの間には、反射シート１２６が設けられている。反射シート１２６は、その反射面が、拡散板１４１の光入射面１４１ａと対向するように配されている。反射シート１２６は、例えば、シート基材上に銀反射膜、低屈折率膜、高屈折率膜を順に積層することで形成された銀増反射膜などである。この反射シート１２６は、主に発光ダイオード２１から発光され、拡散板１４１で反射されて入射した光や、バックライト筐体部１２０の反射加工を施され反射面とされた内壁面１２０ａにて反射された光などを反射する。
【００４２】
バックライト装置１４０が備える拡散板１４１、反射シート１２６は、図４に示すように、それぞれが互いに対向するように配置されており、バックライト筐体部１２０に複数設けられた図示しない光学スタットなどによって、互いの対向間隔を保ちながら当該バックライト装置１４０のバックライト筐体部１２０内に保持されている。このとき、拡散板１４１は、バックライト筐体部１２０に設けられたブラケット部材１０８でも保持されることになる。
【００４３】
このような構成の透過型のカラー液晶表示装置１００は、例えば、図７に示すような駆動回路２００により駆動される。駆動回路２００は、カラー液晶表示パネル１１０や、バックライト装置１４０の駆動電源を供給する電源部２１０、カラー液晶表示パネル１１０を駆動するＸドライバ回路２２０及びＹドライバ回路２３０、外部から供給される映像信号や、当該透過型のカラー液晶表示装置１００が備える図示しない受信部で受信され、映像信号処理部で処理された映像信号が、入力端子２４０を介して供給されるＲＧＢプロセス処理部２５０、このＲＧＢプロセス処理部２５０に接続された画像メモリ２６０及び制御部２７０、バックライト装置１４０を駆動制御するバックライト駆動制御部２８０などを備えている。
【００４４】
この駆動回路２００において、入力端子２４０を介して入力された映像信号は、ＲＧＢプロセス処理部２５０により、クロマ処理などの信号処理がなされ、さらに、コンポジット信号からカラー液晶表示パネル１１０の駆動に適したＲＧＢセパレート信号に変換されて、制御部２７０に供給されるとともに、画像メモリ２６０を介してＸドライバ２２０に供給される。
【００４５】
また、制御部２７０は、上記ＲＧＢセパレート信号に応じた所定のタイミングで、Ｘドライバ回路２２０及びＹドライバ回路２３０を制御して、上記画像メモリ２６０を介してＸドライバ回路２２０に供給されるＲＧＢセパレート信号で、カラー液晶表示パネル１１０を駆動することにより、上記ＲＧＢセパレート信号に応じた映像を表示する。
【００４６】
バックライト駆動制御部２８０は、電源２１０から供給される電圧から、パルス幅変調（ＰＷＭ）信号を生成し、バックライト装置１４０の光源である光学ユニット２１ｍｎが有する各発光ダイオード２１を駆動する。一般に発光ダイオードの色温度は、動作電流に依存するという特性がある。したがって、所望の輝度を得ながら、忠実に色再現させる（色温度を一定とする）には、パルス幅変調信号を使って発光ダイオード２１を駆動し、色の変化を抑える必要がある。
【００４７】
ユーザインターフェース３００は、上述した図示しない受信部で受信するチャンネルを選択したり、同じく図示しない音声出力部で出力させる音声出力量を調整したり、カラー液晶表示パネル１１０を照明するバックライト装置１４０からの白色光の輝度調節、ホワイトバランス調節などを実行するためのインターフェースである。
【００４８】
例えば、ユーザインターフェース３００から、ユーザが輝度調節をした場合には、駆動回路２００の制御部２７０を介してバックライト駆動制御部２８０に輝度制御信号が伝わる。
【００４９】
続いて、発光ダイオード２１から発光される各色光を拡散板１４１の光入射面１４１ａ上に集光させることで、完全な白色光とする光源ユニット２１ｍｎのバリエーションについて説明をする。
【００５０】
まず、光源ユニット２１ｍｎのバリエーションとして、図８に示すような光源ユニット３１ｍｎが考えられる。図８に示すように、光源ユニット３１ｍｎは、ＬＥＤホルダー３２で保持された赤色発光ダイオード２１Ｒ、緑色発光ダイオード２１Ｇ、青色発光ダイオード２１Ｂから発光される赤色光、緑色光、青色光を、拡散板１４１の光入射面１４１ａ上に、レンチキュラーレンズ３３で集光して白色光へと混色させる。
【００５１】
レンチキュラーレンズ３３は、一方向のみに曲率を持つシリンドリカルレンズ、ここでは、図３に示すように配置させた際の水平方向に曲率を持つシリンドリカルレンズを並列させたレンズである。レンチキュラーレンズ３３を介した各色光は、レンチキュラーレンズ３３を構成するシリンドリカルレンズの曲率に応じて、拡散板１４１の光入射面１４１ａ上の一点に集光されるか、水平方向の同一線上に集光されて、完全な白色光へと混色される。
【００５２】
また、光源ユニット２１ｍｎのバリエーションとして、図９に示すような光源ユニット４１ｍｎも考えられる。図９に示すように、光源ユニット４１ｍｎは、ＬＥＤホルダー４２で、保持された赤色発光ダイオード２１Ｒ、緑色発光ダイオード２１Ｇ、青色発光ダイオード２１Ｂから発光される赤色光、緑色光、青色光を、それぞれ集光レンズ４３Ｒ、４３Ｇ、４３Ｂで集光してから、ダイクロイックプリズム４４に入射させ、赤色光、青色光を反射させ、緑色光を透過させることで、各色光の光路を同一とし、拡散板１４１の光入射面１４１ａ上に照明して白色光へと混色させる。
【００５３】
ダイクロイックプリズム４４は、発光ダイオード２１Ｇで発光される緑色光の波長帯域以下の可視光を透過させて、それ以外の波長帯域の可視光、つまり発光ダイオード２１Ｒで発光される赤色光を反射させる第１の波長選択透過反射面４４Ａと、上記緑色光の波長帯域以上の可視光を透過させて、それ以外の波長帯域の可視光、つまり発光ダイオード２１Ｂで発光される青色光を反射させる第２の波長選択透過反射面４４ＢとがＸ字状にクロスするように形成されている。
【００５４】
このダイクロイックプリズム４４の第１の波長選択透過反射面４４Ａ、第２の波長選択透過反射面４４Ｂは、真空蒸着法や、スパッタリング法といった薄膜形成法にて形成された誘電体多層膜である。したがって、使用する各発光ダイオード２１の特性などに応じて、材料や、膜厚などを変えて誘電体多層膜を形成することで、透過及び反射させる波長帯域、つまりカットオフさせる波長帯域を自由に制御することができる。
【００５５】
例えば、発光ダイオード２１Ｒで発光された赤色光の波長帯域と、発光ダイオード２１Ｇで発光された緑色光の波長帯域とは、発光ダイオードの特性上、若干重なってしまう波長帯域が存在する。この重なった波長帯域の光は、人の目には、赤色とも、緑色ともとれない色調を示すことになる。緑色光と、青色光の場合も同様に、重なった波長帯域が存在することになる。
【００５６】
このような、赤色光、緑色光、青色光を混色させて白色光を生成した場合、液晶表示パネルのカラーフィルタを介した光の色純度は、低下してしまうことになる。そこで、この重なった波長帯域をカットオフすることで、輝度は若干下がるものの、色純度を大幅に高めることができる。
【００５７】
なお、各発光ダイオード２１の発光特性を、波長帯域が重ならないように設計することも考えられるが、非常にコストがかかってしまうことになる。したがって、このように、光源ユニット４１ｍｎでは、ダイクロックプリズム４４の第１の波長選択透過反射面４４Ａ、第２の波長選択透過反射面４４Ｂを形成する誘電体多層膜を調整することで、色純度を制御できるため、発光ダイオード２１として、特性にバラつきのある安価な発光ダイオードを用いることが可能となる。
【００５８】
また、ダイクロイックプリズム４４の表面には、反射防止膜（ＡＲコート）、例えば、誘電体多層膜によるマルチコートをコーティングし、反射を低下させ、透過率を上げるようにしてもよい。
【００５９】
このような、ダイクロイックプリズム４４は、発光ダイオード２１Ｇで発光され、集光レンズ４３Ｇを介して入射された緑色光を、第１の波長選択透過反射面４４Ａ及び第２の波長選択透過反射面４４Ｂで透過させる。また、ダイクロイックプリズム４４は、発光ダイオード２１Ｒで発光され、集光レンズ４３Ｒを介して入射された赤色光を第１の波長選択透過反射面４４Aで反射させる。さらに、ダイクロイックプリズム４４は、発光ダイオード２１Ｂで発光され、集光レンズ４３Ｂを介して入射された青色光を、第２の波長選択透過反射面４４Ｂで反射させることで、緑色光、赤色光、青色光を出射する。ダイクロイックプリズム４４から出射された各色光は、拡散板１４１の光入射面１４１ａ上の一点に集光されて、白色光へと混色される。
【００６０】
なお、図９で示した光源ユニット４１ｍｎは、各発光ダイオード２１から発光された色光を拡散板１４１の光入射面１４１ａ上の一点に集光させるようにしているが、光源ユニット２１ｍｎと同様に、一点ではなく所定の大きさの面積を有する照射領域に照射させるようにしてもよい。各発光ダイオード２１から発光される各色光の照射位置、照射光の面積を、照射領域に合わせることで、光入射面１４１ａ上の同一箇所に三原色光が集光されるため、完全な白色光とすることができる。つまり、照射領域は、白色光を発光する擬似的な発光領域となる。
【００６１】
このように、バックライト装置１４０は、光源として、赤色発光ダイオード２１Ｒ、緑色発光ダイオード２１Ｇ、青色発光ダイオード２１Ｂを有し、それぞれから発光された赤色光、緑色光、青色光を拡散板１４１の光入射面１４１ａ上に集光する光源ユニット２１ｍｎ、３１ｍｎ、４１ｍｎを備えることで、光入射面１４１ａ上に、十分に混色させた色ムラのない白色光を得ることができる。また、色ムラのない白色光が実現されることで、輝度ムラへの対処も容易となる。
【００６２】
したがって、このようなバックライト装置１４０から出射された照明光で液晶表示パネル１１０を照明すると、液晶表示パネル１１０には、色再現性のよい画像を表示させることができる。また、バックライト装置１４０は、白色光へ混色する際に必要なスペースが不要であるため、従来の直下型のバックライト装置よりも非常に薄型化することができる。つまり、薄型で、色再現性の高いカラー液晶表示装置を実現することができる。
【図面の簡単な説明】
【００６３】
【図１】本発明を実施するための最良の形態として示すカラー液晶表示装置の構成について説明するための図である。
【図２】同カラー液晶表示装置が備えるカラー液晶表示パネルのカラーフィルタについて説明するための図である。
【図３】同カラー液晶表示装置が備えるバックライト装置の概略構成を説明するための図である。
【図４】同カラー液晶表示装置において、図１に示すＹＹ線で切断した際の断面図である。
【図５】バックライト装置の光源として使用する光源ユニットの拡散板への集光の様子について説明するための斜視図である。
【図６】バックライト装置の光源として使用する光源ユニットの拡散板への集光の別な例について説明するための図である。
【図７】同カラー液晶表示装置を駆動する駆動回路について説明するためのブロック図である。
【図８】光源ユニットの別な構成例を示した斜視図である。
【図９】光源ユニットのさらに別な構成例を示した斜視図である。
【符号の説明】
【００６４】
２１Ｒ  赤色発光ダイオード、２１Ｇ  緑色発光ダイオード、２１Ｂ  青色発光ダイオード、２１ｍｎ、３１ｍｎ、４１ｍｎ  光源ユニット、１００  カラー液晶表示装置、１１０  カラー液晶表示パネル、１４０  バックライト装置
【図１】
2006228576.tif 000003
【図２】
2006228576.tif 000004
【図３】
2006228576.tif 000005
【図４】
2006228576.tif 000006
【図５】
2006228576.tif 000007
【図６】
2006228576.tif 000008
【図７】
2006228576.tif 000009
【図８】
2006228576.tif 000010
【図９】
2006228576.tif 000011